(57)【特許請求の範囲】
【請求項１】
光伝送ケーブルの端部が着脱自在に装着されるレセプタクルと、
ホスト装置のケージの底部に形成された係合孔に挿脱自在に係合する係合突起を有するアクチュエータと、
前記レセプタクルに回動可能に装着され、回動動作によって前記アクチュエータの前記係合突起を前記ケージの係合孔に挿脱させるベールと、
を備え、
前記レセプタクルは、該レセプタクルの下部に前記アクチュエータをシーソー運動可能に軸支し、また、前記ベールが回動可能に取り付けられる取付軸を有し、
前記ベールは、一対の脚部を備え、該脚部は、前記取付軸が挿通される挿通孔を有し、前記取付軸を中心とする回動運動が可能であり、かつ、前記挿通孔より延長する延長部を有し、
前記アクチュエータは、前記ベールの延長部が接する接触部を有し、
前記ベールが回動運動するときに、前記アクチュエータの前記接触部と前記ベールの前記延長部との摺動により前記アクチュエータがシーソー運動し、該シーソー運動により前記ケージに形成された前記係合孔に前記アクチュエータの前記係合突起が挿脱され、これによってホスト装置のケージ内に挿脱可能とされた光トランシーバであって、
前記アクチュエータは、樹脂製であり、該アクチュエータが前記係合突起を前記係合孔から離脱させる方向にシーソー運動させる時に、該シーソー運動に抗する板バネ部を一体的に有し、該板バネ部により、前記係合突起を前記係合孔に向けて付勢するようにし、
前記アクチュエータの前記接触部に、前記ベールの延長部先端が接触して摺動する接触面が構成され、該接触面は凹部を含み、該凹部に前記延長部先端が係合することで前記ベールを所定の位置に保持可能としたことを特徴とする光トランシーバ。
【請求項２】
前記アクチュエータの前記板バネ部を前記レセプタクルに固定し、前記アクチュエータを前記レセプタクルに軸支している軸支部の係合が外れるのを防止するようにしたことを特徴とする請求項１に記載の光トランシーバ。
【請求項３】
前記板バネ部は、前記アクチュエータを前記レセプタクルに固定した時に、前記シーソー運動の軸を中心として、前記アクチュエータの前記係合突起が形成されている側に対して反対の側を前記レセプタクルに押し付ける付勢力を与えるようにしたことを特徴とする請求項１または２に記載の光トランシーバ。
【発明の詳細な説明】
【技術分野】
【０００１】
本発明は、光トランシーバと該光トランシーバを挿脱して装着するホスト装置のケージとの間の挿脱機構に関する。
【背景技術】
【０００２】
プラガブル光トランシーバはホスト装置（ホストシステム）のケージに挿入されて用いられる。ケージは一端が開放された金属製の箱型部品であり、ホスト装置に搭載され、ホスト装置の基板に結線される電気コネクタを奥端に有し、その開放端はホスト装置のフェースパネルに開口される。プラガブル光トランシーバは、この様にホスト装置に搭載されたケージに挿入され、その後端に搭載されたプラグがケージ内の電気コネクタに挿入されて用いられる。特に、ホスト装置の電源を遮断すること無しに、電気コネクタにプラグを挿入／抜取可能な形態を有するものをホットプラガブル光トランシーバと呼んでいる。
【０００３】
プラガブル光トランシーバは、ホスト装置のケージに挿脱するための挿脱機構を設けなければならない。特に、光トランシーバの光レセプタクルに光伝送ケーブルの端部（光コネクタ）が挿入されている際には、光トランシーバのケージからの抜取りを禁止し、光レセプタクルに光伝送ケーブルの端部が挿入されていない際にのみ、光トランシーバとケージとの係合を外すことのできる挿脱機構が必要とされている。その光トランシーバとケージとの挿脱機構については種々の提案がされている。
【０００４】
図８は、特許文献１に記載の、ケージとの挿脱機構を備えた光トランシーバを示す図で、光トランシーバ５００は、ワイヤーフレーム状のベール５１０と、ピボットブロック（アクチュエータ）５２０の組み合わせにより、ピボットブロック５２０の先端に形成されたロックピン５２１を上下動させ、このロックピン５２１とケージとの間の係合関係を解除するメカニズムを備えている。
【０００５】
ベール５１０は把持可能なグリップ部５１１、ピボットブロック５２０に埋め込まれる肩部５１２、及び両者を連結する本体部５１３がワイヤーフレームで構成されている。肩部５１２の中央にはワイヤーを折り曲げてカム５１４が形成されており、このカム５１４ともども肩部５１２がピボットブロック５２０のピボット溝５２２に埋め込まれている。ピボットブロック５２０はピボットアーム５２３を中心にしてシーソー運動を行う。ベール５１０を回動させると、カム５１４がピボット溝５２２内で回動し、カム５１４の先端が、ピボットブロック５２０のピボットアーム５２３より前方の部分を、レセプタクル５３０に対して外方に押し出そうとする。
【０００６】
ピボットブロック５２０はシーソー運動を行うので、ピボットブロック５２０の後方に形成されているロックピン５２１はレセプタクル５３０側に引き込まれ、ロックピン５２１とケージとのラッチが解除される。この光トランシーバ５００には、ピボットブロック５２０がレセプタクル５３０から分離するのを防ぐために、ケース５４０の先端（レセプタクル５３０側先端）に支持片５５０が付属しており、この支持片５５０でピボットブロック５２０を常に下方から支えるためにピボットブロック５２０が外れることはない。
【０００７】
図９は、特許文献２に記載の、ケージとの挿脱機構を備えた光トランシーバを示す図で、この挿脱機構も、ベール６１０とアクチュエータ６２０を有するが、ベール６１０は単にアクチュエータ６２０を前後に動かす際のグリップの役割を果たすのみで、その回動運動がアクチュエータ６２０の前後運動、あるいはケージ７００に形成された係合孔７１１と係合する係合突起６３０の上下運動に変換されることはない。アクチュエータ６２０の先端には楔６２１が形成されており、この楔６２１は光トランシーバ６００がケージ７００と係合している状態では、光トランシーバ６００に形成されたポケット６４０に収納されている。
【０００８】
ポケット６４０の一側面は斜面となっていて、ベール６１０を摘んで光トランシーバ６００を少しだけケージ７００から引き出すと、楔６２１がポケット６４０の斜面を滑り、楔６２１の先端がケージ７００のラッチ片７１０を押し上げる。その結果、光トランシーバ６００の係合突起６３０とケージ７００のラッチ片７１０の係合孔７１１との間の係合が解除される。アクチュエータ６２０にはバネ片６２２が形成されており、この弾性力によりその定常位置が、楔６２１がポケット６４０に収納される位置に規定されている。
【特許文献１】米国特許第６，４３９，９１８号明細書
【特許文献２】米国特許出願公開第２００３／１４２９１７号明細書
【発明の開示】
【発明が解決しようとする課題】
【０００９】
近年、これらプラガブル光トランシーバを３次元的に密に配置し、光通信用のハブを構築することが提案されている。例えば、断面積が１ｃｍ角の光トランシーバを、横に１６個、縦に２〜４個並べ、３２〜６４チャンネルを有する光通信用のハブを構成することができる。この様な装置では、隣接するプラガブル光トランシーバに光伝送ケーブルが挿入されている状態では、光トランシーバをケージから引き抜く際に、隣接する光トランシーバ及び光伝送ケーブルが障害となって、光トランシーバのベールを回動させることができず、容易に光トランシーバを外すことができないという問題があった。
また、前述のような挿脱機構では、挿脱機構を構成する構成部品同士が互いに外れやすく、ケースの先端にアクチュエータの支持片などを設けるなどして部品が外れるのを防止する必要がある。
【００１０】
本発明は、上述のごとき実情に鑑みてなされたもので、光トランシーバとケージとの間の新規な挿脱機構を有する光トランシーバ、特に光トランシーバが密に配置されたホスト装置においてもケージへの挿脱が可能であり、また、構成部品同士が外れにくい挿脱機構を有する光トランシーバを提供することを目的とする。
【課題を解決するための手段】
【００１３】
本発明の光トランシーバは、光伝送ケーブルの端部が着脱自在に装着されるレセプタクルと、ホスト装置のケージの底部に形成された係合孔に挿脱自在に係合する係合突起を有するアクチュエータと、前記レセプタクルに回動可能に装着され、回動動作によって前記アクチュエータの前記係合突起を前記ケージの係合孔に挿脱させるベールと、を備え、前記レセプタクルは、該レセプタクルの下部に前記アクチュエータをシーソー運動可能に軸支し、また、前記ベールが回動可能に取り付けられる取付軸を有し、前記ベールは、一対の脚部を備え、該脚部は、前記取付軸が挿通される挿通孔を有し、前記取付軸を中心とする回動運動が可能であり、かつ、前記挿通孔より延長する延長部を有し、前記アクチュエータは、前記ベールの延長部が接する接触部を有し、前記ベールが回動運動するときに、前記アクチュエータの前記接触部と前記ベールの前記延長部との摺動により前記アクチュエータがシーソー運動し、該シーソー運動により前記ケージに形成された前記係合孔に前記アクチュエータの前記係合突起が挿脱され、これによってホスト装置のケージ内に挿脱可能とされたものであって、前記アクチュエータは、樹脂製であり、該アクチュエータが前記係合突起を前記係合孔から離脱させる方向にシーソー運動させる時に、該シーソー運動に抗する板バネ部を一体的に有し、該板バネ部により、前記係合突起を前記係合孔に向けて付勢するようにし、前記アクチュエータの前記接触部に、前記ベールの延長部先端が接触して摺動する接触面が構成され、該接触面は凹部を含み、該凹部に前記延長部先端が係合することで前記ベールを所定の位置に保持可能としたことを特徴とする。
【００１４】
前記アクチュエータの前記板バネ部を前記レセプタクルに固定し、前記アクチュエータを前記レセプタクルに軸支している軸支部の係合が外れるのを防止するようにしてもよい。
また、前記板バネ部が、前記アクチュエータを前記レセプタクルに固定した時に、前記シーソー運動の軸を中心として、前記アクチュエータの前記係合突起が形成されている側に対して反対の側を前記レセプタクルに押し付ける付勢力を与えるようにするのも好ましい。
【発明の効果】
【００１５】
本発明の光トランシーバによれば、光トランシーバが密に配置された場合であっても、目的の光トランシーバを容易にホスト装置のケージに挿脱することができる。
【発明を実施するための最良の形態】
【００１６】
図１は、本発明のプラガブル光トランシーバ（以後単にトランシーバとする）の全体を下方から俯瞰した図で、トランシーバ１は、ベール１０、アクチュエータ２０、レセプタクル３０、カバー４０、基板５０、フレーム６０、及び接地フィンガー７０で構成される。以後、レセプタクル３０の備わる方向をトランシーバの前方側とし、その反対の方であって、基板５０上にプラグ５１が形成されている側を後方とする。また、図１で見えている側、アクチュエータ２０が取り付けられている側をトランシーバの下方とし、その反対側、図１では隠されている側を上方とする。この上下方向は、トランシーバ１がケージ（図示せず）に挿入される際の上下方向を踏襲するものである。
【００１７】
ケージには後方側が挿入され、トランシーバ１の後端に形成されているプラグ５１がケージ内の電気コネクタと係合する。これにより、ホスト装置の電子回路とトランシーバ１の基板５０上の回路とが電気的に接続される。トランシーバ１の前方側のレセプタクル正面２は、ホスト装置のフェースパネルに開口し、当該開口を通して光伝送ケーブル（光ケーブル）の端部がトランシーバ１のレセプタクル３０に着脱自在に装着される。
【００１８】
レセプタクル３０にはベール１０とアクチュエータ２０とが取り付けられている。アクチュエータ２０は、ホスト装置のケージの底部に形成された係合孔に挿脱自在に係合する係合突起２３ａを有する。また、ベール１０は、レセプタクル３０に回動可能に装着され、回動動作によってアクチュエータ２０の係合突起２３ａをケージの係合孔に挿脱させる。なお、レセプタクル３０はカバー４０の前方に取り付けられている。
【００１９】
カバー４０は、プラグ５１を有する基板５０を保持するフレーム６０に取り付けられる。カバー４０の前方端からは、アクチュエータ２０の係合突起２３ａ、および接地フィンガー７０が突き出ている。係合突起２３ａがケージに形成された係合孔に係合されることにより、トランシーバ１はケージ内に保持される。一方、接地フィンガー７０はトランシーバ１をケージに挿入した際に、ケージ内面と電気的に接触し接地電位を強化しつつ、ケージに対して１つの放熱経路を確保する。
【００２０】
本発明では、アクチュエータ２０、レセプタクル３０は樹脂モールドにより形成され、また、ベールについては樹脂製のベール１０と、金属製ベール１１０（図５参照）の二つの形態を開示し、さらに、カバー４０、フレーム６０については、一枚の金属板を切断、折曲、タッピング加工により形成された形態を採用し、溶接、接着等は用いていない構造を有する。以下、本発明に係るベール１０、１１０、アクチュエータ２０、及びレセプタクル３０の構成について説明する。
【００２１】
ａ．アクチュエータ
図２（Ａ）は本発明に係るアクチュエータの下方俯瞰図、図２（Ｂ）は同上方俯瞰図、及び図２（Ｃ）は側面図である。アクチュエータ２０は本体部２１、支点部２２、及び係合部２３の大概三つの部分から成る。本体部２１は、両側に接触部２１ａ、これら接触部２１ａを連結する連結部２１ｄを備え、また、この連結部２１ｄから後方に向かって延び出す板バネ部２４を一体的に有する。
【００２２】
接触部２１ａにはそれぞれその上面に互いに滑らかに接続する複数の面を有し、外方に向かって二段に形成された接触面を有する。ここでは、内側の溝部分を溝２１ｂ、外方の盛り上がった部分をガイド縁２１ｅとする。接触面には、第１の凹部２１ｆ、第２の凹部２１ｇが形成されている。当該凹部２１ｇにベール１０の脚部の突起（図４参照）を収納しベール１０の動きを一時的に保持することができる。
【００２３】
連結部２１ｄの前方は緩く窪んでおり、下に位置する他のトランシーバのレセプタクルとの間の隙間を広げることで、トランシーバを密に配したときのベール１０を把持することの容易性を向上させている。板バネ部２４は本体部２１に対して角度をもって形成されている。すなわち、板バネ部２４は、本体部２１のレセプタクル３０の下面に対する基準面２１ｋに対して、その後端側が約３．５°の角度をもって浮き上がって形成されている。このアクチュエータ２０を図３に示すレセプタクル３０にセットする場合、板バネ部２４が撓みながらセットされる。この撓みに反発する応力は、アクチュエータ２０のシーソー運動の軸２２ａを受けるレセプタクル３０の軸支部で吸収される（軸２２ａ、軸支部については後述する）が、軸２２ａと板バネ部２４の後端位置がオフセットされているので、その結果、この応力によりアクチュエータ２０の先端側を上に押し上げる力、すなわち、先端側をレセプタクル３０に押し付ける力となって作用する。この上方への押し付け力により、アクチュエータ２０の基準面２１ｋに形成されている突起２１ｊがレセプタクル３０の下面に点接触する。
【００２４】
連結部２１ｄから後方に延びる板バネ部２４の先端は支点部２２を超え係合部２３にまで達している。そして、その先端に上方に向かって延び出す水平断面がＴ字状の突起２４ａを備える。この板バネ部２４の突起２４ａは、後述する様に、レセプタクル３０の中央隔壁に形成されたポケット部に収まることで、アクチュエータ２０の前後方向の移動を規制する。また、板バネ部２４はレセプタクル３０に密に接触固定されることで、アクチュエータ２０の残余の部分が支点部２２を中心にシーソー運動する際に、シーソー運動に抗する力をアクチュエータ２０に与える。この板バネ部２４により、アクチュエータ２０の係合突起２３ａはケージの係合孔に向けて付勢されている。したがって、ベール１０を動作させてアクチュエータ２０にシーソー運動を行わせても、ベール１０を解放するとアクチュエータ２０はその板バネ部２４の有する弾性力により自動的に図２（Ａ）、図２（Ｂ）の状態に回復する。
【００２５】
支点部２２には略半円柱状の形状を有する軸２２ａが形成されている。この軸２２ａをレセプタクル３０の軸支部にセットする。軸支部の内部も略半円柱状に加工されており、軸２２ａが軸支部内部でスムーズに回動することで、アクチュエータ２０のシーソー運動を可能にする。
【００２６】
係合部２３の先端には、ケージの係合孔に係合する係合突起２３ａが形成されている。この係合突起２３ａの後方側の側面が傾斜面に、前方側の側面は係合部２３本体に対し急峻（本体からほぼ垂直に立ち上がる）な面に形成されている。トランシーバ１をケージに挿入する際には、この傾斜面によりケージのラッチ片を跳ね上げつつ挿入され、一旦挿入された場合には、急峻面とラッチ片内の係合孔とが確実に噛み合って容易に解除されない構造、本発明の様な挿脱機構を介することが無ければ容易に解除されない機構を提供している。さらに、係合部２３の後端部上面には斜面を有する溝２３ｂが形成されている。これは、このアクチュエータ２０にシーソー運動を誘起させた場合に、係合部２３の後端がレセプタクル３０側に引き込まれることになるが、引き込まれた際に、レセプタクル３０の中央隔壁がこの溝２３ｂ内に収納されることでシーソー運動の動作幅を大きくしている。
【００２７】
図２（Ｃ）はアクチュエータ２０の側面図である。接触部２１ａには前方側から第１の凹部２１ｆ、第２の凹部２１ｇ、平坦部２１ｈ、及び円弧部２１ｉが連続的に形成されており、後述する様に、これらが有する複数の面をベール１０の脚部の突起が接触して摺動することで、ベール１０の回動に連動してアクチュエータ２０にシーソー運動を誘起することができる。円弧部２１ｉはベール１０の回動中心に対して凹となる面を形成している。
【００２８】
ｂ．レセプタクル
図３（Ａ）はレセプタクル３０の前方俯瞰図、図３（Ｂ）は同後方俯瞰図である。レセプタクル３０は樹脂のモールド成型により形成されている。レセプタクル３０は前方から順にレセプタクル部３１、搭載部３２、接続部３３に分けられる。レセプタクル部３１は、前方に送信／受信用の二つの開口３１ａ、３１ｂを有し、当該開口に光ケーブルの端部（光コネクタ）が挿入される。開口の内寸（幅、奥行き）および開口間の間隔は光コネクタの規格により規定されている。
【００２９】
レセプタクル部３１の外側面には、取付軸３１ｃ（例えば、略円柱状の突起）を有し、これがベール１０の回動中心となる。さらに、下面には、アクチュエータ２０のシーソー運動の回動軸となる軸２２ａを支持する軸支部３１ｄが形成され、その内面形状は、アクチュエータ２０の軸２２ａの外面形状をトレースする様に半円柱状に加工されている。レセプタクル部３１の後方端には、他より高さが一段高い段差部３１ｅが形成されており、当該段差部３１ｅにベール１０の側面が突き当たりベール１０の回動運動を制限している。段差部３１ｅはベール１０に対する回動ストッパの機能を提供している。
【００３０】
搭載部３２は、二つの空間３２ａ、３２ｂを有し、当該空間に送信サブアセンブリ（Transmitting Optical Sub-Assembly：ＴＯＳＡ）、受信サブアセンブリ（Receiving Optical Sub-Assembly:ＲＯＳＡ）を搭載する。空間３２ａ、３２ｂは側壁３２ｃと中央隔壁３２ｄにより形成され、空間内部には形状をＴＯＳＡ／ＲＯＳＡを搭載するための凹面、突起が複数形成されている。中央隔壁３２ｄには、その前方端にポケット３２ｅが形成されている。当該ポケット３２ｅにアクチュエータ２０の板バネ部２４の後端に形成されている突起２４ａが収まる。この突起２４ａの断面形状にあわせ、ポケット３２ｅの内面形状は、その深さが前方に向かって次第に浅くなり、レセプタクル部３１の底面にスムーズに接続する形状である。
【００３１】
さらに、中央隔壁３２ｄの前方両側のレセプタクル部３１の底面が傾斜面３２ｆとなっており、このレセプタクル３０に取り付けられたアクチュエータ２０の軸２２ａ周りのシーソー運動を補佐している。また、この傾斜面３２ｆによって、アクチュエータ２０のレセプタクル３０への取り付けを容易にしている。側壁３２ｃの外面には突起３２ｇが形成されており、この突起３２ｇがカバー４０の側面の開口に係合して両者が組立てられる。
【００３２】
接続部３３は、レセプタクル３０に接地フィンガー７０を組み付ける際に使用される。接地フィンガー７０は、図１に示す様に、レセプタクル３０にカバー４０を組み付けた後においても、両者の隙間から外方に突き出し、トランシーバ１がケージにセットされる際にはケージの内面に直接接触して接地電位を確保する。一方、トランシーバ１の内部ではＴＯＳＡ／ＲＯＳＡの外面に接触するため、ＴＯＳＡ／ＲＯＳＡの外皮をケースグラウンドと等電位にさせることが可能となる。ここで、レセプタクル３０は樹脂製である。一方、本トランシーバに係る構造においては、接地フィンガー７０がケージに直接接触することで、これらＥＭＩシールド、接地電位の安定性は基本的に果たされている。
【００３３】
ｃ−１．第１の形態のベール
図４（Ａ）は第１の形態に係るベールの上前方俯瞰図、図４（Ｂ）は同下後方俯瞰図である。ベール１０は一対の脚部１１とこれら脚部１１を接続する連結部１２を有する、所謂Ｕ字状の形態を備える。この形態に係るベール１０は樹脂のモールド成型により形成されている。ベール１０の連結部１２には二つの凹部１２ａ、１２ｂが形成されており、ベール１０の連結部１２のレセプタクル３０の所定箇所にセットした際に、レセプタクル３０の送信／受信用の二つの開口３１ａ、３１ｂに連続する形状を有する。その上面にはラベルを貼り付けるための凹部１２ｃも設けられている。
【００３４】
一対の脚部１１のそれぞれには、レセプタクル３０の取付軸３１ｃが挿通される挿通孔１１ａが備わり、ベール１０は、取付軸３１ｃを中心とする回動運動が可能である。また、脚部１１は挿通孔１１ａより延長する延長部１１ｂを有する。ベール１０が回動運動するときに、アクチュエータ２０の接触部２１ａと、このベール１０の延長部１１ｂとの係合によりアクチュエータがシーソー運動し、このシーソー運動によりケージの係合孔にアクチュエータ２０の係合突起２３ａが挿脱される。
【００３５】
より具体的には、この延長部１１ｂの先端（前端）内側には突起１１ｃが備わっており、この突起１１ｃはガイド縁１１ｄと溝１１ｅを有する複合的形状をしている。ガイド縁１１ｄはアクチュエータ２０の接触部２１ａの溝２１ｂ内に納まり、溝１１ｅがアクチュエータ２０のガイド縁２１ｅ上を摺動して、アクチュエータ２０がシーソー運動し、ケージの係合孔にアクチュエータ２０の係合突起２３ａが挿脱される。
また、この延長部１１ｂの突起１１ｃの複合形状により、ベール１０はアクチュエータ２０と確実に組立てられ、ベール１０を回動させた場合であっても、その脚部１１が外方に向かって拡がりアクチュエータ２０から外れることがなくなる。すなわち、ベール１０の脚部１１が外方に広がろうとしても、突起１１ｃのガイド縁１１ｄがアクチュエータ２０のガイド縁２１ｅの内面に当接して広がるのを防止する。
【００３６】
脚部１１の後端１１ｆは直線形状を有しており、レセプタクル３０の段差部３１ｅにその初期位置で突き当たる。ここで初期位置とは、ベール１０の連結部１２がレセプタクル３０の最上方にある時に相当する。また、脚部１１の延長部１１ｂの底面１１ｇは、ベール１０を最大に回動させた時にレセプタクル３０の段差部３１ｅに突き当たり、その結果ベール１０の回動運動が規制される。
【００３７】
また、脚部１１は、略Ｌ字形状であり、初期位置で、その短辺が前後方向に位置し、長辺が上下方向に位置する。このような形状にすることにより、ベール１０の連結部１２に手を触れることができない場合であっても、脚部１１の短辺（延長部１１ｂ）の上面１１ｈを押し下げて、ベール１０を回動させること及びアクチュエータ２０の本体部２１を押し下げることができる。
【００３８】
ｃ−２．第二の形態のベール
図５（Ａ）は第２の形態に係るベールの上前方俯瞰図、図５（Ｂ）は同下後方俯瞰図である。ベール１１０は、金属板材、例えばステンレスを折り曲げ加工して形成される。前述のベール１０と同様に、ベール１１０においても、一対の脚部１１１、及び当該脚部を連結する連結部１１２を備えるＵ字形状の部材である。脚部１１０には、レセプタクル３０の取付軸３１ｃが挿通される挿通孔１１１ａが備わり、ベール１１０は取付軸３１ｃを中心とする回動運動が可能である。
【００３９】
また、脚部１１１は挿通孔１１１ａより延長する延長部１１１ｂを有し、この延長部１１１ｂの前端内側には突起１１１ｃが備わる。この突起１１１ｃは絞り加工（打ち出し加工）により形成されており、当該突起１１１ｃの側面がアクチュエータ２０のガイド縁２１ｅ上を摺動する。本形態のベール１１１においてはアクチュエータ２０の溝２１ｂ内に納まる構造は形成されていない。また脚部１１１の後端１１１ｆがレセプタクル３０の段差部３１ｅにその初期位置で当たり、脚部１１１の延長部１１１ｂの底面１１１ｇがベールの最大回転時に段差部３１ｅに当たることによりベール１１０の回動運動が規制されることも、第１の形態のベール１０と同様である。
【００４０】
図５（Ａ）に示すベール１０の脚部１１は、略Ｌ字形状であり、初期位置で、その短辺が前後方向に位置し、長辺が上下方向に位置する。このような形状にすることにより、ベール１０の連結部１２に手を触れることができない場合であっても、ベールの短辺（延長部１１ｂ）の上面１１ｈを押し下げて、ベール１０を回動させること及びアクチュエータ２０の本体部２１を押し下げることができる。
なお、図５（Ｂ）に示すベール１１０の脚部１１１も前述と同様に、略Ｌ字形状であるが、脚部１１１の短辺（延長部１１１ｂ）の上面１１１ｈに、脚部の短辺の上面が内側に折り曲げられて形成された折り曲げ部１１１ｉを備えても良い。折り曲げ部１１１ｉを設けることにより、短辺上面１１１ｈの面積が増え、短辺上面１１１ｈを押下げることが容易になる。また、この折り曲げ部１１１ｉは必ずしも両方の脚部１１１に設ける必要はない。本発明に係る光トランシーバ１を高密度で実装されたケージに挿入して用いる際に、両方の脚部１１１にこの折り曲げ部１１１ｉを設けた場合に、隣接するトランシーバの脚部に触れてしまう場合が想定される。いずれか一方にのみ設けることでこの事態を避けることができる。
【００４１】
ｄ．ベールの回動とアクチュエータのシーソー運動
図６（Ａ）〜図６（Ｅ）は第１の形態のベール１０の回動運動とアクチュエータ２０のシーソー運動との関係を説明する一連の図である。図６（Ａ）においてベール１０は初期状態にある。すなわち、ベール１０の連結部１２はレセプタクル３０の上方にあって、また、レセプタクル３０の二つの開口３１ａ、３１ｂを解放している。この時ベール１０の延長部１１ｂの突起１１ｃはアクチュエータ２０の接触面の最先端にあって、第１の凹部２１ｉに納まり、保持されている。また、係合突起２３ａは最も外側に突き出された状態にあって、ケージの係合孔に納まっている。
【００４２】
この状態から、ベールの短辺上面１１ｈを押し下げるなどして、ベール１０を前方側に回動させると、図６（Ｂ）の位置においてベール１０の延長部１１ｂの突起１１ｃは一旦アクチュエータ２０の第２の凹部２１ｇに納まる。これにより、ベール１０を所定の位置に保持することが可能であり、ベール１０をいわゆるダブルデッカー対応とすることができる。この位置では、係合突起２３ａは、図６（Ａ）の位置よりはレセプタクル３０側に引き寄せられている。
【００４３】
さらにベール１０を回動させると、延長部１１ｂの突起１１ｃはアクチュエータ２０の接触面のうちの平坦部２１ｈを接触して摺動することとなる（図６（Ｃ））。延長部１１ｂの突起１１ｃと平坦部２１ｈとの接触点からアクチュエータ２０の回動中心（取付軸３１ｃ）までの距離は、ベール１０の回動に連動して次第に短くなる。従って、延長部１１ｂの突起１１ｃはそれだけアクチュエータ２０の本体部２１を外方に押し出すことになり、シーソー運動により係合突起２３ａが次第にレセプタクル３０側に引き寄せられ、最終的にケージのラッチ片内の係合孔との係合状態が解除される（図６（Ｄ））。
【００４４】
この位置からさらにベール１０を回動したとしても、ベール１０の回動中心である取付軸３１ｃに対して円弧を描く円弧部２１ｉを、延長部１１ｂの突起１１ｃが接触して摺動するだけになるので、アクチュエータ２０がそれ以上に大幅に押し出されることはない。最後に図６（Ｅ）に示す様に、延長部１１ｂの底面１１ｇがレセプタクル３０の段差部３１ｅに突き当たることでベール１０の回動が規制される。
【００４５】
ケージは金属薄板により形成されているので、個々の寸法バラツキは大きい。また、例え当初は規定通りの寸法で形成されたケージであっても、トランシーバの挿入／抜取を繰り返すことにより、その外形寸法に歪みが生じてきてしまう。従って、ベールの延長部の突起がアクチュエータの接触面のどの位置にあるときに係合状態が解除されるかは厳密に規定できないが、少なくとも、接触面の平坦部２１ｈのうち最後方の部分、すなわち、円弧部２１ｉとの接続部分において、係合突起２３ａは、当該係合突起２３ａがケージの係合孔から離脱される係合解除位置に位置しなければならない。
【００４６】
さらに、アクチュエータ２０の係合部２３がこの様にベール１０の回動に合わせて一連の動作を行ったとしても、その板バネ部２４はリジッドにレセプタクル３０に固定された状態を維持している。従って、この板バネ部２４の有する弾性力により、ベール１０を図６（Ｅ）の位置から初期状態である図６（Ａ）の位置に戻す際の力が、係合を解除する際の図６（Ａ）から図６（Ｅ）までの力に比較して軽くなる。特に、延長部１１ｂの突起１１ｃが円弧部２１ｉにある時には、板バネ部２４の弾性力によりベール１０は図６（Ｄ）の位置を自動的に回復する。
【００４７】
また、本発明に係るアクチュエータ２０の構造においては、アクチュエータ２０の前端２１ｃを押し下げる動作を規制する構造は形成されていない。板バネ部２４はアクチュエータ２０の本体部２１を常にレセプタクル３０側に押し付ける作用を生じさせるけれども、アクチュエータ前端２１ｃを操作してアクチュエータ２０にシーソー運動を行わせることが可能である。
【００４８】
これは次の様な場合に非常に効果的である。すなわち、ケージがホスト装置に密に装着されていて、目的とするケージの周辺のケージにトランシーバが光コネクタ／光ケーブルを装備した状態で挿入されている場合、これら光コネクタ／光ケーブルが障害となって、目的のトランシーバのベールを操作できない場合がある。トランシーバをケージから外す場合は、ベール１０はレセプタクル３０の上方（図６（Ａ）の初期状態）に位置している。目的トランシーバの直上に他のケージが装備されている場合であって、真上のケージにトランシーバが挿入されている場合に、このベール１０を操作することができない。
【００４９】
その様な場合であっても、レセプタクル３０の前面は光コネクタが取り外されて開放されている状態であり、アクチュエータ２０の前端２１ｃを操作するのに十分な隙間が確保されている。前端２１ｃの下方を押し下げることで、アクチュエータ２０のシーソー運動をおこさせ、アクチュエータ２０の後端にある係合突起２３ａをトランシーバ本体側に引き込むことが可能となって、目的トランシーバをケージから取り外すことができる。
【００５０】
ｅ．レセプタクルとベール、アクチュエータの組立て
次に、本発明のトランシーバのベール、アクチュエータをレセプタクルに対して組み付ける方法を図７（Ａ）〜図７（Ｄ）を参照して説明する。
【００５１】
まず、レセプタクル３０、ＴＯＳＡ／ＲＯＳＡ、基板５０、フレーム６０、カバー４０接地フィンガー７０を組立てたトランシーバ本体にベール１０を装着する（図７（Ａ）、（Ｂ））。ベール１０の両脚部１１は連結部１２の有する弾性力により容易に押し広げることができるので、脚部１１を押し広げつつその挿通孔１１ａにレセプタクル３０の取付軸３１ｃを係合させる（図７（Ｂ））。
【００５２】
図７（Ｃ）に示すように、ついでアクチュエータ２０をレセプタクル３０の前方側からその底面上をスライドさせて、アクチュエータ２０の軸２２ａをレセプタクル３０の軸支部３１ｄにセットする。この時アクチュエータ２０の板バネ部２４の先端の突起２４ａがレセプタクル３０の中央隔壁に形成されたポケット３２ｅに収まる。アクチュエータ２０の後方側への動きは軸支部３１ｄにより、前方側への動きは板バネ部２４の突起２４ａとレセプタクル３０のポケット３２ｅとの係合によりそれぞれ規制されるので、アクチュエータ２０はレセプタクル３０に対して水平方向に（その底面と平行な方向）にスライドすることはない。したがって、軸支部３１ｄの係合が外れるのを防止できる。
【００５３】
さらに、アクチュエータ２０の上下方向の動きについては、軸支部３１ｄが軸２２ａを覆っていることに加え（図７（Ｄ））、アクチュエータ２０の本体部２１上面の突起２１ｊ（図２（Ｂ））により常に板バネ部２４が僅かに撓んだ状態にあり、アクチュエータ２０の本体部２１を板バネ部２４の有する弾性力により押し上げる力が作用している。従って、アクチュエータ２０は上下方向にもスライドすることが規制されている。軸２２ａを中心としたシーソー運動のみが許容される状態にある。以上の手順によりベール１０及びアクチュエータ２０はレセプタクル３０に対して組立てられ、図６（Ａ）〜図６（Ｅ）を参照して説明した様に、ベール１０の回動運動によりアクチュエータ２０の先端に形成された係合突起２３ａを上下運動させて、ケージからトランシーバを挿脱できる。
【図面の簡単な説明】
【００５４】
【図１】本発明に係る光トランシーバの下方斜視図である。
【図２】図２（Ａ）は本発明に係るアクチュエータの下方斜視図であり、図２（Ｂ）は同上方斜視図、図２（Ｃ）は同側面図である。
【図３】図３（Ａ）は本発明に係るレセプタクルの下方斜視図であり、図３（Ｂ）は同上方斜視図である。
【図４】図４（Ａ）は本発明に係るベールの一例の上方斜視図であり、図４（Ｂ）は同下方斜視図である。
【図５】図５（Ａ）は本発明に係るベールの他の例の上方斜視図であり、図５（Ｂ）は同下方斜視図である。
【図６】本発明に係るベールとアクチュエータの運動の様子を連続的に示す側面図である。
【図７】本発明に係るベール及びアクチュエータをレセプタクルに対して組み付けるときの様子を示す下方斜視図である。
【図８】特許文献１（米国特許第６，４３９，９１８号明細書）に記載の光トランシーバの挿脱機構を説明するための斜視図である。
【図９】特許文献２（米国特許出願公開第２００３／１４２９１７号明細書）に記載の光トランシーバの挿脱機構を説明するための図である。
【符号の説明】
【００５５】
１…トランシーバ、２…レセプタクル正面、１０，１１０…ベール、１１，１１１…脚部、１１ａ，１１１ａ…挿通孔、１１ｂ，１１１ｂ…延長部、１１ｃ，１１１ｃ…突起、１１ｄ…ガイド縁、１１ｅ…溝、１１ｆ，１１１ｆ…脚部後端、１１ｇ，１１１ｇ…延長部底面、１１ｈ，１１１ｈ…延長部上面、１１１ｉ…折り曲げ部、１２，１１２…連結部、１２ａ，１２ｂ…凹部、１２ｃ…凹部、２０…アクチュエータ、２１…本体部、２１ａ…接触部、２１ｂ…溝、２１ｃ…アクチュエータ前端、２１ｄ…連結部、２１ｅ…ガイド縁、２１ｆ…第１の凹部、２１ｇ…第２の凹部、２１ｈ…平坦部、２１ｉ…円弧部、２１ｊ…突起、２１ｋ…基準面、２２…支点部、２２ａ…軸、２３…係合部、２３ａ…係合突起、２３ｂ…溝、２４…板バネ部、２４ａ…突起、３０…レセプタクル、３１…レセプタクル部、３１ａ，３１ｂ…開口、３１ｃ…取付軸、３１ｄ…軸支部、３１ｅ…段差部、３２…搭載部、３２ａ，３２ｂ…空間、３２ｃ…側壁、３２ｄ…中央隔壁、３２ｅ…ポケット、３２ｆ…傾斜面、３２ｇ…突起、３３…接続部、４０…カバー、５０…基板、５１…プラグ、６０…フレーム、７０…接地フィンガー。
【図１】
0004848793.tif 000002
【図２】
0004848793.tif 000003
【図３】
0004848793.tif 000004
【図４】
0004848793.tif 000005
【図５】
0004848793.tif 000006
【図６】
0004848793.tif 000007
【図７】
0004848793.tif 000008
【図８】
0004848793.tif 000009
【図９】
0004848793.tif 000010